【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
ビデオデータをコーディングする方法であって、
ビデオデータの複数のレイヤについてビデオパラメータセット（ＶＰＳ）をコーディングすることと、ビデオデータの前記複数のレイヤのそれぞれは前記ＶＰＳを参照し、前記ＶＰＳをコーディングすることは、ビデオデータの前記複数のレイヤのうちの少なくとも１つにおいて並べ替えられるフレームの数を示す前記ＶＰＳのデータと、ビデオデータの前記複数のレイヤの復号中に復号ピクチャバッファ（ＤＰＢ）に記憶されるピクチャの数を示す前記ＶＰＳのデータとを、コーディングすることを備え、
前記ＶＰＳに少なくとも部分的に基づいてビデオデータの前記複数のレイヤをコーディングすることと、
を備える方法。
【請求項２】
前記ＶＰＳをコーディングすることは、前記複数のレイヤにおける時間レイヤの最大数を示す前記ＶＰＳのデータをコーディングすることを備える、請求項１に記載の方法。
【請求項３】
前記ＶＰＳをコーディングすることは、仮想参照デコーダ（ＨＲＤ）パラメータの１つまたは複数のセットを示す前記ＶＰＳのデータをコーディングすることを備える、請求項１に記載の方法。
【請求項４】
前記ＶＰＳをコーディングすることは、前記ＶＰＳが対応する規格を超える拡張を含むかどうかを示す前記ＶＰＳのデータと、前記ＶＰＳが前記拡張を含むときの前記拡張のためのデータとをコーディングすることを備える、請求項１に記載の方法。
【請求項５】
前記複数のレイヤをコーディングすることは、高効率ビデオコーディング（ＨＥＶＣ）に従って前記複数のレイヤをコーディングすることを備える、請求項１に記載の方法。
【請求項６】
前記複数のレイヤをコーディングすることは、マルチビュービデオコーディング（ＭＶＣ）およびスケーラブルビデオコーディング（ＳＶＣ）のうちの少なくとも１つに従って前記複数のレイヤをコーディングすることを備える、請求項１に記載の方法。
【請求項７】
前記ＶＰＳをコーディングすることは、ビデオデータの前記複数のレイヤの１つまたは複数の次元について、ビデオデータの前記複数のレイヤにおける優先レイヤの数、ビデオデータの前記複数のレイヤにおける従属レイヤの数、ビデオデータの前記複数のレイヤにおける時間レイヤの数、ビデオデータの前記複数のレイヤにおける前記従属レイヤのいずれかについての品質レイヤの最大数、およびビデオデータの前記複数のレイヤにおけるビューの最大数のうちの１つまたは複数を指定する情報をコーディングすることを備える、請求項１に記載の方法。
【請求項８】
前記ビデオデータの前記複数のレイヤのサブセットが、同じ空間解像度および同じビット深度を有するとき、前記サブセットの前記レイヤの各々は、前記従属レイヤのうちの異なる１つに対応する、請求項７に記載の方法。
【請求項９】
前記ＶＰＳをコーディングすることは、特性マッピングに対するサンプルインデックスを定義する情報をコーディングすることを備え、特性マッピングに対する前記サンプルインデックスを定義する前記情報をコーディングすることは、ビデオデータの前記複数のレイヤの次元の特性インジケータが０からサンプル次元カウンタ−１までのインデックス範囲内にないとき、複数の特性インデックスの各々についてのそれぞれの特性インジケータを指定する情報をコーディングすることを備える、請求項８に記載の方法。
【請求項１０】
前記ＶＰＳをコーディングすることは、特性マッピングに対するサンプルインデックスを定義する情報をコーディングすることを備え、特性マッピングに対する前記サンプルインデックスを定義する前記情報をコーディングすることは、複数の従属インデックスの各々についてのそれぞれの空間解像度、複数の時間インデックスの各々についてのフレームレート、複数のビューインデックスの各々についてのビュー識別子、複数のビット深度インデックスの各々のルミナンスおよびクロミナンスについての特定の深度値の対、および複数のクロミナンスサンプリングフォーマットの各々についての特定のクロミナンスサンプリングフォーマットインジケータのうちの１つまたは複数をコーディングすることを備える、請求項８に記載の方法。
【請求項１１】
前記ＶＰＳをコーディングすることは、制御パラメータ、および１つまたは複数のツール有効化／無効化フラグを定義する情報をコーディングすることを備える、請求項１に記載の方法。
【請求項１２】
前記制御パラメータおよび前記１つまたは複数のツール有効化／無効化フラグは、ｐｃｍ＿ｂｉｔ＿ｄｅｐｔｈ＿ｌｕｍａ＿ｍｉｎｕｓ１、ｐｃｍ＿ｂｉｔ＿ｄｅｐｔｈ＿ｃｈｒｏｍａ＿ｍｉｎｕｓ１、ｌｏｏｐ＿ｆｉｌｔｅｒ＿ａｃｒｏｓｓ＿ｓｌｉｃｅ＿ｆｌａｇ、ｐｃｍ＿ｌｏｏｐ＿ｆｉｌｔｅｒ＿ｄｉｓａｂｌｅ＿ｆｌａｇ、ｔｅｍｐｏｒａｌ＿ｉｄ＿ｎｅｓｔｉｎｇ＿ｆｌａｇ、１つまたは複数のタイル関連のシンタックス要素、ｃｈｒｏｍａ＿ｐｒｅｄ＿ｆｒｏｍ＿ｌｕｍａ＿ｅｎａｂｌｅｄ＿ｆｌａｇ、ｓａｍｐｌｅ＿ａｄａｐｔｉｖｅ＿ｏｆｆｓｅｔ＿ｅｎａｂｌｅｄ＿ｆｌａｇ、ａｄａｐｔｉｖｅ＿ｌｏｏｐ＿ｆｉｌｔｅｒ＿ｅｎａｂｌｅｄ＿ｆｌａｇ、およびｉｎｔｅｒ＿４×４＿ｅｎａｂｌｅｄ＿ｆｌａｇのうちの１つまたは複数を備える、請求項１１に記載の方法。
【請求項１３】
前記ＶＰＳをコーディングすることは、１つまたは複数のオペレーションポイント記述子を定義する情報をコーディングすることを備える、請求項１に記載の方法。
【請求項１４】
前記１つまたは複数のオペレーションポイント記述子を定義する前記情報をコーディングすることは、最大オペレーションポイントの数、異なるレイヤまたはビュー間の従属性、前記オペレーションポイントの各々についてのプロファイルおよびレベル、各オペレーションポイントについて、オペレーションポイントビデオコーディングレイヤ（ＶＣＬ）ネットワークアブストラクションレイヤ（ＮＡＬ）ユニット表示、各次元について、特定のインデックス値、前記次元についての潜在的なインデックス値の範囲、およびインデックス値のリストのうちの１つもしくは複数、前記オペレーションポイントの各々についてのビットレート、前記オペレーションポイント間の従属性、前記オペレーションポイントの各々についての制限、前記オペレーションポイントの各々についてのビデオユーザビリティ情報（ＶＵＩ）、およびビデオデータの前記複数のレイヤの各々についてのＶＵＩのうちの１つまたは複数を定義する情報をコーディングすることを備える、請求項１３に記載の方法。
【請求項１５】
ビデオデータの前記複数のレイヤの各々についてのそれぞれのレイヤードシーケンスパラメータセット（ＬＰＳ）をコーディングすることをさらに備え、前記ＶＰＳに少なくとも部分的に基づいてビデオデータの前記複数のレイヤをコーディングすることは、前記ＶＰＳおよび前記それぞれのＬＰＳに少なくとも部分的に基づいてビデオデータの前記複数のレイヤをコーディングすることを備える、請求項１に記載の方法。
【請求項１６】
ビデオデータの前記複数のレイヤの各々についての前記それぞれのＬＰＳをコーディングすることは、各次元について、各次元に対するインデックスを示すサンプル次元表示を定義する情報をコーディングすることを備える、請求項１５に記載の方法。
【請求項１７】
ビデオデータの前記複数のレイヤの各々についての前記それぞれのＬＰＳをコーディングすることは、制御パラメータおよびツール有効化／無効化フラグを定義する情報をコーディングすることを備える、請求項１５に記載の方法。
【請求項１８】
前記制御パラメータおよび前記１つまたは複数のツール有効化／無効化フラグは、ｐｃｍ＿ｂｉｔ＿ｄｅｐｔｈ＿ｌｕｍａ＿ｍｉｎｕｓ１、ｐｃｍ＿ｂｉｔ＿ｄｅｐｔｈ＿ｃｈｒｏｍａ＿ｍｉｎｕｓ１、ｌｏｏｐ＿ｆｉｌｔｅｒ＿ａｃｒｏｓｓ＿ｓｌｉｃｅ＿ｆｌａｇ、ｐｃｍ＿ｌｏｏｐ＿ｆｉｌｔｅｒ＿ｄｉｓａｂｌｅ＿ｆｌａｇ、１つまたは複数のタイル関連のシンタックス要素、ｃｈｒｏｍａ＿ｐｒｅｄ＿ｆｒｏｍ＿ｌｕｍａ＿ｅｎａｂｌｅｄ＿ｆｌａｇ、ｓａｍｐｌｅ＿ａｄａｐｔｉｖｅ＿ｏｆｆｓｅｔ＿ｅｎａｂｌｅｄ＿ｆｌａｇ、ａｄａｐｔｉｖｅ＿ｌｏｏｐ＿ｆｉｌｔｅｒ＿ｅｎａｂｌｅｄ＿ｆｌａｇ、およびコーディングユニット（ＣＵ）ハイアラーキのうちの１つまたは複数を備える、請求項１７に記載の方法。
【請求項１９】
ビデオデータの前記複数のレイヤの各々についての前記それぞれのＬＰＳをコーディングすることは、スライス、スライスのグループ、ピクチャ、および共通のピクチャパラメータセット（ＰＰＳ）を参照するいくつかのピクチャのうちの少なくとも１つに適用する１つまたは複数の他のパラメータセットの情報を定義する情報をコーディングすることを備える、請求項１５に記載の方法。
【請求項２０】
１つまたは複数のピクチャパラメータセット（ＰＰＳ）が、前記ＶＰＳを参照せず、かつ、ビデオデータの前記複数のレイヤのレイヤードシーケンスパラメータセット（ＬＰＳ）を参照しないように、前記１つまたは複数のＰＰＳをコーディングすることをさらに含む、請求項１に記載の方法。
【請求項２１】
前記ＶＰＳに少なくとも部分的に基づいてビデオデータの前記複数のレイヤをコーディングすることは、前記ＶＰＳ、前記ＰＰＳ、および前記ＬＰＳに少なくとも部分的に基づいてビデオデータの前記複数のレイヤをコーディングすること、を備え、前記ＰＰＳのうちの１つのシンタックス要素が前記ＶＰＳまたは前記ＬＰＳのうちのそれぞれ１つと相反するとき、前記ＰＰＳのうちの前記１つの前記シンタックス要素に基づいてビデオデータの前記複数のレイヤのうちの対応する１つをコーディングする、請求項２０に記載の方法。
【請求項２２】
ビデオデータの前記複数のレイヤについての、前記ＶＰＳを含む、すべてのパラメータセットを一緒にグルーピングするグルーピングパラメータセット（ＧＰＳ）をコーディングすることをさらに備える、請求項１に記載の方法。
【請求項２３】
前記ＧＰＳをコーディングすることは、前記ＧＰＳの識別子を定義する情報をコーディングすることを備え、前記方法は、前記ＧＰＳの前記識別子に対応するスライスヘッダの情報をコーディングすることをさらに備える、請求項２２に記載の方法。
【請求項２４】
前記ビデオデータの複数のレイヤをコーディングすることは、ビデオデータの前記複数のレイヤを復号することを備え、前記ＶＰＳをコーディングすることは、前記ＶＰＳをパーシングすることを備える、請求項１に記載の方法。
【請求項２５】
前記ビデオデータの複数のレイヤをコーディングすることは、ビデオデータの前記複数のレイヤを符号化することを備え、前記ＶＰＳをコーディングすることは、前記ＶＰＳを構成することを備える、請求項１に記載の方法。
【請求項２６】
ビデオデータをコーディングするためのデバイスであって、
ビデオデータの複数のレイヤについてビデオパラメータセット（ＶＰＳ）をコーディングし、ビデオデータの前記複数のレイヤのそれぞれは前記ＶＰＳを参照し、ビデオコーダは、ビデオデータの前記複数のレイヤのうちの少なくとも１つにおいて並べ替えられるフレームの数を示す前記ＶＰＳのデータと、ビデオデータの前記複数のレイヤの復号中に復号ピクチャバッファ（ＤＰＢ）に記憶されるピクチャの数を示す前記ＶＰＳのデータとを、コーディングするように構成され、
前記ＶＰＳに少なくとも部分的に基づいてビデオデータの前記複数のレイヤをコーディングするように構成されたビデオコーダ
を備える、デバイス。
【請求項２７】
前記ビデオコーダは、ビデオデータの前記複数のレイヤにおける時間レイヤの最大数を示す前記ＶＰＳのデータをコーディングするように構成される、請求項２６に記載のデバイス。
【請求項２８】
前記ビデオコーダは、仮想参照デコーダ（ＨＲＤ）パラメータの１つまたは複数のセットを示す前記ＶＰＳのデータをコーディングするように構成される、請求項２６に記載のデバイス。
【請求項２９】
前記ビデオコーダは、前記ＶＰＳが対応する規格を超える拡張を含むかどうかを示す前記ＶＰＳのデータと、前記ＶＰＳが前記拡張を含むときの前記拡張のためのデータとをコーディングするように構成される、請求項２６に記載のデバイス。
【請求項３０】
前記ビデオコーダは、高効率ビデオコーディング（ＨＥＶＣ）、マルチビュービデオコーディング（ＭＶＣ）、およびスケーラブルビデオコーディング（ＳＶＣ）のうちの１つに従ってビデオデータの前記複数のレイヤをコーディングするように構成される、請求項２６に記載のデバイス。
【請求項３１】
前記ビデオコーダはビデオデコーダを備える、請求項２６に記載のデバイス。
【請求項３２】
前記ビデオコーダはビデオエンコーダを備える、請求項２６に記載のデバイス。
【請求項３３】
集積回路と、
マイクロプロセッサと、
前記ビデオコーダを含むワイヤレス通信デバイスと、
のうちの少なくとも１つを備える、請求項２６に記載のデバイス。
【請求項３４】
ビデオデータをコーディングするためのデバイスであって、
ビデオデータの複数のレイヤについてビデオパラメータセット（ＶＰＳ）をコーディングする手段と、ビデオデータの前記複数のレイヤのそれぞれは前記ＶＰＳを参照し、前記ＶＰＳをコーディングする手段は、ビデオデータの前記複数のレイヤのうちの少なくとも１つにおいて並べ替えられるフレームの数を示す前記ＶＰＳのデータと、ビデオデータの前記複数のレイヤの復号中に復号ピクチャバッファ（ＤＰＢ）に記憶されるピクチャの数を示す前記ＶＰＳのデータとを、コーディングする手段を備え、
前記ＶＰＳに少なくとも部分的に基づいてビデオデータの前記複数のレイヤをコーディングする手段と、
を備える、デバイス。
【請求項３５】
前記ＶＰＳをコーディングする手段は、ビデオデータの前記複数のレイヤにおける時間レイヤの最大数を示す前記ＶＰＳのデータをコーディングする手段を備える、請求項３４に記載のデバイス。
【請求項３６】
前記ＶＰＳをコーディングする手段は、仮想参照デコーダ（ＨＲＤ）パラメータの１つまたは複数のセットを示す前記ＶＰＳのデータをコーディングする手段を備える、請求項３４に記載のデバイス。
【請求項３７】
前記ＶＰＳをコーディングする手段は、前記ＶＰＳが対応する規格を超える拡張を含むかどうかを示す前記ＶＰＳのデータと、前記ＶＰＳが前記拡張を含むときの前記拡張のためのデータとをコーディングする手段を備える、請求項３４に記載のデバイス。
【請求項３８】
前記ＶＰＳをコーディングする手段は、高効率ビデオコーディング（ＨＥＶＣ）、マルチビュービデオコーディング（ＭＶＣ）、およびスケーラブルビデオコーディング（ＳＶＣ）のうちの１つに従ってビデオデータの前記複数のレイヤをコーディングする手段を備える、請求項３４に記載のデバイス。
【請求項３９】
命令を記憶したコンピュータ可読記憶媒体であって、前記命令は、実行されるとき、プロセッサに、
ビデオデータの複数のレイヤについてビデオパラメータセット（ＶＰＳ）をコーディングさせ、ビデオデータの前記複数のレイヤのそれぞれは前記ＶＰＳを参照し、前記プロセッサに前記ＶＰＳをコーディングさせる前記命令は、前記プロセッサにビデオデータの前記複数のレイヤの少なくとも１つにおいて並べ替えられるフレームの数を示す前記ＶＰＳのデータと、ビデオデータの前記複数のレイヤの復号中に復号ピクチャバッファ（ＤＰＢ）に記憶されるピクチャの数を示す前記ＶＰＳのデータとを、コーディングさせる命令を備え、
前記ＶＰＳに少なくとも部分的に基づいてビデオデータの前記複数のレイヤをコーディングさせる、
コンピュータ可読記憶媒体。
【請求項４０】
前記プロセッサに前記ＶＰＳをコーディングさせる前記命令は、前記プロセッサにビデオデータの前記複数のレイヤにおける時間レイヤの最大数を示す前記ＶＰＳのデータをコーディングさせる命令を備える、請求項３９に記載のコンピュータ可読記憶媒体。
【請求項４１】
前記プロセッサに前記ＶＰＳをコーディングさせる前記命令は、前記プロセッサに仮想参照デコーダ（ＨＲＤ）パラメータの１つまたは複数のセットを示す前記ＶＰＳのデータをコーディングさせる命令を備える、請求項３９に記載のコンピュータ可読記憶媒体。
【請求項４２】
前記プロセッサに前記ＶＰＳをコーディングさせる前記命令は、前記ＶＰＳが対応する規格を超える拡張を含むかどうかを示す前記ＶＰＳのデータと、前記ＶＰＳが前記拡張を含むときの前記拡張のためのデータとを前記プロセッサにコーディングさせる命令を備える、請求項３９に記載のコンピュータ可読記憶媒体。
【請求項４３】
前記プロセッサにビデオデータの前記複数のレイヤをコーディングさせる前記命令は、高効率ビデオコーディング（ＨＥＶＣ）、マルチビュービデオコーディング（ＭＶＣ）、およびスケーラブルビデオコーディング（ＳＶＣ）のうちの１つに従ってビデオデータの前記複数のレイヤを前記プロセッサにコーディングさせる命令を備える、請求項３９に記載のコンピュータ可読記憶媒体。
【手続補正２】
【補正対象書類名】明細書
【補正対象項目名】０２８５
【補正方法】変更
【補正の内容】
【０２８５】
[0296]様々な例について説明してきた。これらおよび他の例は以下の特許請求の範囲内に入る。
以下に本願発明の当初の特許請求の範囲に記載された発明を付記する。
［Ｃ１］  ビデオデータをコーディングする方法であって、ビデオデータの１つまたは複数のレイヤについてビデオパラメータセット（ＶＰＳ）をコーディングすることと、ビデオデータの前記１つまたは複数のレイヤのそれぞれは前記ＶＰＳを参照し、前記ＶＰＳに少なくとも部分的に基づいてビデオデータの前記１つまたは複数のレイヤをコーディングすることと、を備える方法。
［Ｃ２］  前記ＶＰＳをコーディングすることは、前記１つまたは複数のレイヤにおける時間レイヤの最大数を示す前記ＶＰＳのデータをコーディングすることを備える、Ｃ１に記載の方法。
［Ｃ３］  前記ＶＰＳをコーディングすることは、前記１つまたは複数のレイヤのうちの少なくとも１つにおいて並べ替えられるフレームの数を示す前記ＶＰＳのデータをコーディングすることを備える、Ｃ１に記載の方法。
［Ｃ４］  前記ＶＰＳをコーディングすることは、前記１つまたは複数のレイヤの復号中に復号ピクチャバッファ（ＤＰＢ）に記憶されるピクチャの数を示す前記ＶＰＳのデータをコーディングすることを備える、Ｃ１に記載の方法。
［Ｃ５］  前記ＶＰＳをコーディングすることは、仮想参照デコーダ（ＨＲＤ）パラメータの１つまたは複数のセットを示す前記ＶＰＳのデータをコーディングすることを備える、Ｃ１に記載の方法。
［Ｃ６］  前記ＶＰＳをコーディングすることは、前記ＶＰＳが対応する規格を超える拡張を含むかどうかを示す前記ＶＰＳのデータと、前記ＶＰＳが前記拡張を含むときの前記拡張のためのデータとをコーディングすることを備える、Ｃ１に記載の方法。
［Ｃ７］  前記１つまたは複数のレイヤをコーディングすることは、高効率ビデオコーディング（ＨＥＶＣ）に従って前記１つまたは複数のレイヤをコーディングすることを備える、Ｃ１に記載の方法。
［Ｃ８］  前記１つまたは複数のレイヤをコーディングすることは、マルチビュービデオコーディング（ＭＶＣ）およびスケーラブルビデオコーディング（ＳＶＣ）のうちの少なくとも１つに従って前記１つまたは複数のレイヤをコーディングすることを備える、Ｃ１に記載の方法。
［Ｃ９］  前記ＶＰＳをコーディングすることは、ビデオデータの前記１つまたは複数のレイヤの１つまたは複数の次元について、ビデオデータの前記１つまたは複数のレイヤにおける優先レイヤの数、ビデオデータの前記１つまたは複数のレイヤにおける従属レイヤの数、ビデオデータの前記１つまたは複数のレイヤにおける時間レイヤの数、ビデオデータの前記１つまたは複数のレイヤにおける前記従属レイヤのいずれかについての品質レイヤの最大数、およびビデオデータの前記１つまたは複数のレイヤにおけるビューの最大数のうちの１つまたは複数を指定する情報をコーディングすることを備える、Ｃ１に記載の方法。
［Ｃ１０］  前記ビデオデータの前記１つまたは複数のレイヤのサブセットが、同じ空間解像度および同じビット深度を有するとき、前記サブセットの前記レイヤの各々は、前記従属レイヤのうちの異なる１つに対応する、Ｃ２に記載の方法。
［Ｃ１１］  前記ＶＰＳをコーディングすることは、特性マッピングに対するサンプルインデックスを定義する情報をコーディングすることを備え、特性マッピングに対する前記サンプルインデックスを定義する前記情報をコーディングすることは、ビデオデータの前記１つまたは複数のレイヤの次元の特性インジケータが０からサンプル次元カウンタ−１までのインデックス範囲内にないとき、複数の特性インデックスの各々についてのそれぞれの特性インジケータを指定する情報をコーディングすることを備える、Ｃ１０に記載の方法。
［Ｃ１２］  前記ＶＰＳをコーディングすることは、特性マッピングに対するサンプルインデックスを定義する情報をコーディングすることを備え、特性マッピングに対する前記サンプルインデックスを定義する前記情報をコーディングすることは、複数の従属インデックスの各々についてのそれぞれの空間解像度、複数の時間インデックスの各々についてのフレームレート、複数のビューインデックスの各々についてのビュー識別子、複数のビット深度インデックスの各々のルミナンスおよびクロミナンスについての特定の深度値の対、および複数のクロミナンスサンプリングフォーマットの各々についての特定のクロミナンスサンプリングフォーマットインジケータのうちの１つまたは複数をコーディングすることを備える、Ｃ１０に記載の方法。
［Ｃ１３］  前記ＶＰＳをコーディングすることは、制御パラメータ、および１つまたは複数のツール有効化／無効化フラグを定義する情報をコーディングすることを備える、Ｃ１に記載の方法。
［Ｃ１４］  前記制御パラメータおよび前記１つまたは複数のツール有効化／無効化フラグは、ｐｃｍ＿ｂｉｔ＿ｄｅｐｔｈ＿ｌｕｍａ＿ｍｉｎｕｓ１、ｐｃｍ＿ｂｉｔ＿ｄｅｐｔｈ＿ｃｈｒｏｍａ＿ｍｉｎｕｓ１、ｌｏｏｐ＿ｆｉｌｔｅｒ＿ａｃｒｏｓｓ＿ｓｌｉｃｅ＿ｆｌａｇ、ｐｃｍ＿ｌｏｏｐ＿ｆｉｌｔｅｒ＿ｄｉｓａｂｌｅ＿ｆｌａｇ、ｔｅｍｐｏｒａｌ＿ｉｄ＿ｎｅｓｔｉｎｇ＿ｆｌａｇ、１つまたは複数のタイル関連のシンタックス要素、ｃｈｒｏｍａ＿ｐｒｅｄ＿ｆｒｏｍ＿ｌｕｍａ＿ｅｎａｂｌｅｄ＿ｆｌａｇ、ｓａｍｐｌｅ＿ａｄａｐｔｉｖｅ＿ｏｆｆｓｅｔ＿ｅｎａｂｌｅｄ＿ｆｌａｇ、ａｄａｐｔｉｖｅ＿ｌｏｏｐ＿ｆｉｌｔｅｒ＿ｅｎａｂｌｅｄ＿ｆｌａｇ、およびｉｎｔｅｒ＿４×４＿ｅｎａｂｌｅｄ＿ｆｌａｇのうちの１つまたは複数を備える、Ｃ１３に記載の方法。
［Ｃ１５］  前記ＶＰＳをコーディングすることは、１つまたは複数のオペレーションポイント記述子を定義する情報をコーディングすることを備える、Ｃ１に記載の方法。
［Ｃ１６］  前記１つまたは複数のオペレーションポイント記述子を定義する前記情報をコーディングすることは、最大オペレーションポイントの数、異なるレイヤまたはビュー間の従属性、前記オペレーションポイントの各々についてのプロファイルおよびレベル、各オペレーションポイントについて、オペレーションポイントビデオコーディングレイヤ（ＶＣＬ）ネットワークアブストラクションレイヤ（ＮＡＬ）ユニット表示、各次元について、特定のインデックス値、前記次元についての潜在的なインデックス値の範囲、およびインデックス値のリストのうちの１つもしくは複数、前記オペレーションポイントの各々についてのビットレート、前記オペレーションポイント間の従属性、前記オペレーションポイントの各々についての制限、前記オペレーションポイントの各々についてのビデオユーザビリティ情報（ＶＵＩ）、および前記１つまたは複数のレイヤの各々についてのＶＵＩのうちの１つまたは複数を定義する情報をコーディングすることを備える、Ｃ１５に記載の方法。
［Ｃ１７］  ビデオデータの前記１つまたは複数のレイヤの各々についてのそれぞれのレイヤードシーケンスパラメータセット（ＬＰＳ）をコーディングすることをさらに備え、前記ＶＰＳに少なくとも部分的に基づいてビデオデータの前記１つまたは複数のレイヤをコーディングすることは、前記ＶＰＳおよび前記それぞれのＬＰＳに少なくとも部分的に基づいてビデオデータの前記１つまたは複数のレイヤをコーディングすることを備える、Ｃ１に記載の方法。
［Ｃ１８］  前記１つまたは複数のレイヤの各々についての前記それぞれのＬＰＳをコーディングすることは、各次元について、各次元に対するインデックスを示すサンプル次元表示を定義する情報をコーディングすることを備える、Ｃ１７に記載の方法。
［Ｃ１９］  前記１つまたは複数のレイヤの各々についての前記それぞれのＬＰＳをコーディングすることは、制御パラメータおよびツール有効化／無効化フラグを定義する情報をコーディングすることを備える、Ｃ１７に記載の方法。
［Ｃ２０］  前記制御パラメータおよび前記１つまたは複数のツール有効化／無効化フラグは、ｐｃｍ＿ｂｉｔ＿ｄｅｐｔｈ＿ｌｕｍａ＿ｍｉｎｕｓ１、ｐｃｍ＿ｂｉｔ＿ｄｅｐｔｈ＿ｃｈｒｏｍａ＿ｍｉｎｕｓ１、ｌｏｏｐ＿ｆｉｌｔｅｒ＿ａｃｒｏｓｓ＿ｓｌｉｃｅ＿ｆｌａｇ、ｐｃｍ＿ｌｏｏｐ＿ｆｉｌｔｅｒ＿ｄｉｓａｂｌｅ＿ｆｌａｇ、１つまたは複数のタイル関連のシンタックス要素、ｃｈｒｏｍａ＿ｐｒｅｄ＿ｆｒｏｍ＿ｌｕｍａ＿ｅｎａｂｌｅｄ＿ｆｌａｇ、ｓａｍｐｌｅ＿ａｄａｐｔｉｖｅ＿ｏｆｆｓｅｔ＿ｅｎａｂｌｅｄ＿ｆｌａｇ、ａｄａｐｔｉｖｅ＿ｌｏｏｐ＿ｆｉｌｔｅｒ＿ｅｎａｂｌｅｄ＿ｆｌａｇ、およびコーディングユニット（ＣＵ）ハイアラーキのうちの１つまたは複数を備える、Ｃ１９に記載の方法。
［Ｃ２１］  前記１つまたは複数のレイヤの各々についての前記それぞれのＬＰＳをコーディングすることは、スライス、スライスのグループ、ピクチャ、および共通のピクチャパラメータセット（ＰＰＳ）を参照するいくつかのピクチャのうちの少なくとも１つに適用する１つまたは複数の他のパラメータセットの情報を定義する情報をコーディングすることを備える、Ｃ１７に記載の方法。
［Ｃ２２］  １つまたは複数のピクチャパラメータセット（ＰＰＳ）が、前記ＶＰＳを参照せず、かつ、ビデオデータの前記１つまたは複数のレイヤのレイヤードシーケンスパラメータセット（ＬＰＳ）を参照しないように、前記１つまたは複数のＰＰＳをコーディングすることをさらに含む、Ｃ１に記載の方法。
［Ｃ２３］  前記ＶＰＳに少なくとも部分的に基づいてビデオデータの前記１つまたは複数のレイヤをコーディングすることは、前記ＶＰＳ、前記ＰＰＳ、および前記ＬＰＳに少なくとも部分的に基づいてビデオデータの前記１つまたは複数のレイヤをコーディングすること、を備え、前記ＰＰＳのうちの１つのシンタックス要素が前記ＶＰＳまたは前記ＬＰＳのうちのそれぞれ１つと相反するとき、前記ＰＰＳのうちの前記１つの前記シンタックス要素に基づいてビデオデータの前記１つまたは複数のレイヤのうちの対応する１つをコーディングする、Ｃ２２に記載の方法。
［Ｃ２４］  ビデオデータの前記１つまたは複数のレイヤについての、前記ＶＰＳを含む、すべてのパラメータセットを一緒にグルーピングするグルーピングパラメータセット（ＧＰＳ）をコーディングすることをさらに備える、Ｃ１に記載の方法。
［Ｃ２５］  前記ＧＰＳをコーディングすることは、前記ＧＰＳの識別子を定義する情報をコーディングすることを備え、前記方法は、前記ＧＰＳの前記識別子に対応するスライスヘッダの情報をコーディングすることをさらに備える、Ｃ２４に記載の方法。
［Ｃ２６］  前記ビデオデータの１つまたは複数のレイヤをコーディングすることは、ビデオデータの前記１つまたは複数のレイヤを復号することを備え、前記ＶＰＳをコーディングすることは、前記ＶＰＳをパーシングすることを備える、Ｃ１に記載の方法。
［Ｃ２７］  前記ビデオデータの１つまたは複数のレイヤをコーディングすることは、ビデオデータの前記１つまたは複数のレイヤを符号化することを備え、前記ＶＰＳをコーディングすることは、前記ＶＰＳを構成することを備える、Ｃ１に記載の方法。
［Ｃ２８］  ビデオデータをコーディングするためのデバイスであって、ビデオデータの１つまたは複数のレイヤについてビデオパラメータセット（ＶＰＳ）をコーディングし、ビデオデータの前記１つまたは複数のレイヤのそれぞれは前記ＶＰＳを参照し、前記ＶＰＳに少なくとも部分的に基づいてビデオデータの前記１つまたは複数のレイヤをコーディングするように構成されたビデオコーダを備える、デバイス。
［Ｃ２９］  前記ビデオコーダは、前記１つまたは複数のレイヤにおける時間レイヤの最大数を示す前記ＶＰＳのデータをコーディングするように構成される、Ｃ２８に記載のデバイス。
［Ｃ３０］  前記ビデオコーダは、前記１つまたは複数のレイヤのうちの少なくとも１つにおいて並べ替えられるフレームの数を示す前記ＶＰＳのデータをコーディングするように構成される、Ｃ２８に記載のデバイス。
［Ｃ３１］  前記ビデオコーダは、前記１つまたは複数のレイヤの復号中に復号ピクチャバッファ（ＤＰＢ）に記憶されるピクチャの数を示す前記ＶＰＳのデータをコーディングするように構成される、Ｃ２８に記載のデバイス。
［Ｃ３２］  前記ビデオコーダは、仮想参照デコーダ（ＨＲＤ）パラメータの１つまたは複数のセットを示す前記ＶＰＳのデータをコーディングするように構成される、Ｃ２８に記載のデバイス。
［Ｃ３３］  前記ビデオコーダは、前記ＶＰＳが対応する規格を超える拡張を含むかどうかを示す前記ＶＰＳのデータと、前記ＶＰＳが前記拡張を含むときの前記拡張のためのデータとをコーディングするように構成される、Ｃ２８に記載のデバイス。
［Ｃ３４］  前記ビデオコーダは、高効率ビデオコーディング（ＨＥＶＣ）、マルチビュービデオコーディング（ＭＶＣ）、およびスケーラブルビデオコーディング（ＳＶＣ）のうちの１つに従って前記１つまたは複数のレイヤをコーディングするように構成される、Ｃ２８に記載のデバイス。
［Ｃ３５］  前記ビデオコーダはビデオデコーダを備える、Ｃ２８に記載のデバイス。
［Ｃ３６］  前記ビデオコーダはビデオエンコーダを備える、Ｃ２８に記載のデバイス。
［Ｃ３７］  集積回路と、マイクロプロセッサと、前記ビデオコーダを含むワイヤレス通信デバイスと、のうちの少なくとも１つを備える、Ｃ２８に記載のデバイス。
［Ｃ３８］  ビデオデータをコーディングするためのデバイスであって、ビデオデータの１つまたは複数のレイヤについてビデオパラメータセット（ＶＰＳ）をコーディングする手段と、ビデオデータの前記１つまたは複数のレイヤのそれぞれは前記ＶＰＳを参照し、前記ＶＰＳに少なくとも部分的に基づいてビデオデータの前記１つまたは複数のレイヤをコーディングする手段と、を備える、デバイス。
［Ｃ３９］  前記ビデオコーダは、前記１つまたは複数のレイヤにおける時間レイヤの最大数を示す前記ＶＰＳのデータをコーディングするように構成される、Ｃ３８に記載のデバイス。
［Ｃ４０］  前記ビデオコーダは、前記１つまたは複数のレイヤのうちの少なくとも１つにおいて並べ替えられるフレームの数を示す前記ＶＰＳのデータをコーディングするように構成される、Ｃ３８に記載のデバイス。
［Ｃ４１］  前記ビデオコーダは、前記１つまたは複数のレイヤの復号中に復号ピクチャバッファ（ＤＰＢ）に記憶されるピクチャの数を示す前記ＶＰＳのデータをコーディングするように構成される、Ｃ３８に記載のデバイス。
［Ｃ４２］  前記ビデオコーダは、仮想参照デコーダ（ＨＲＤ）パラメータの１つまたは複数のセットを示す前記ＶＰＳのデータをコーディングするように構成される、Ｃ３８に記載のデバイス。
［Ｃ４３］  前記ビデオコーダは、前記ＶＰＳが対応する規格を超える拡張を含むかどうかを示す前記ＶＰＳのデータと、前記ＶＰＳが前記拡張を含むときの前記拡張のためのデータとをコーディングするように構成される、Ｃ３８に記載のデバイス。
［Ｃ４４］  前記ビデオコーダは、高効率ビデオコーディング（ＨＥＶＣ）、マルチビュービデオコーディング（ＭＶＣ）、およびスケーラブルビデオコーディング（ＳＶＣ）のうちの１つに従って前記１つまたは複数のレイヤをコーディングするように構成される、Ｃ３８に記載のデバイス。
［Ｃ４５］  命令を記憶したコンピュータ可読記憶媒体であって、前記命令は、実行されるとき、プロセッサに、ビデオデータの１つまたは複数のレイヤについてビデオパラメータセット（ＶＰＳ）をコーディングさせ、ビデオデータの前記１つまたは複数のレイヤのそれぞれは前記ＶＰＳを参照し、前記ＶＰＳに少なくとも部分的に基づいてビデオデータの前記１つまたは複数のレイヤをコーディングさせる、コンピュータ可読記憶媒体。
［Ｃ４６］  前記プロセッサに前記ＶＰＳをコーディングさせる前記命令は、前記プロセッサに前記１つまたは複数のレイヤにおける時間レイヤの最大数を示す前記ＶＰＳのデータをコーディングさせる命令を備える、Ｃ４５に記載のコンピュータ可読記憶媒体。
［Ｃ４７］  前記プロセッサに前記ＶＰＳをコーディングさせる前記命令は、前記プロセッサに前記１つまたは複数のレイヤの少なくとも１つにおいて並べ替えられるフレームの数を示す前記ＶＰＳのデータをコーディングさせる命令を備える、Ｃ４５に記載のコンピュータ可読記憶媒体。
［Ｃ４８］  前記プロセッサに前記ＶＰＳをコーディングさせる前記命令は、前記プロセッサに前記１つまたは複数のレイヤの復号中に復号ピクチャバッファ（ＤＰＢ）に記憶されるピクチャの数を示す前記ＶＰＳのデータをコーディングさせる命令を備える、Ｃ４５に記載のコンピュータ可読記憶媒体。
［Ｃ４９］  前記プロセッサに前記ＶＰＳをコーディングさせる前記命令は、前記プロセッサに仮想参照デコーダ（ＨＲＤ）パラメータの１つまたは複数のセットを示す前記ＶＰＳのデータをコーディングさせる命令を備える、Ｃ４５に記載のコンピュータ可読記憶媒体。
［Ｃ５０］  前記プロセッサに前記ＶＰＳをコーディングさせる前記命令は、前記ＶＰＳが対応する規格を超える拡張を含むかどうかを示す前記ＶＰＳのデータと、前記ＶＰＳが前記拡張を含むときの前記拡張のためのデータとを前記プロセッサにコーディングさせる命令を備える、Ｃ４５に記載のコンピュータ可読記憶媒体。
［Ｃ５１］  前記プロセッサに前記１つまたは複数のレイヤをコーディングさせる前記命令は、高効率ビデオコーディング（ＨＥＶＣ）、マルチビュービデオコーディング（ＭＶＣ）、およびスケーラブルビデオコーディング（ＳＶＣ）のうちの１つに従って前記１つまたは複数のレイヤを前記プロセッサにコーディングさせる命令を備える、Ｃ４５に記載のデバイス。